(57)【要約】【課題】  回転ドラムが回転する際に回転ドラムに巻き取られるワイヤの水平方向の移動量を大きくして、該ワイヤの移動を検知する検知部の検知精度を向上させる照明用昇降装置を提供する。【解決手段】  昇降装置本体１と、昇降装置本体１に回転自在にかつ水平方向に支持される回転ドラム２と、回転ドラム２の外周部に巻回されるワイヤ６と、ワイヤ６の一端部に照明器具８が取り付けられる照明用昇降装置。ワイヤ６は複数本であり、回転ドラム２の外周部には回転面と平行かつ全周にわたる一条の凹溝２０が設けられ、ワイヤ６複数本を凹溝２０を含む水平な略平面内で該平面視巴状となるように凹溝２０に巻き取り収納され、凹溝２０に巻き取られるワイヤ６の巻き取り厚さの増減によって該ワイヤ６が巻き取られる部分が凹溝２０の内外方向に移動することによる該ワイヤ６の水平方向の移動を検知して回転ドラム２を停止させるための検知部９を設けた。【選択図】図１
2008091153.tif 000002
【特許請求の範囲】
【請求項１】
昇降装置本体と、前記昇降装置本体に回転自在にかつ水平方向に支持される回転ドラムと、前記回転ドラムを回転駆動させるための駆動モーターと、前記回転ドラムの外周部に巻回されるワイヤと、前記ワイヤの一端部に照明器具が取り付けられ、前記照明器具は、前記回転ドラムの回転により前記ワイヤを前記回転ドラムに巻取られ又は前記回転ドラムより送出されることにより自在に昇降される照明用昇降装置であって、前記ワイヤは複数本であり、前記回転ドラムの外周部には回転面と平行かつ全周にわたる一条の凹溝が設けられ、前記ワイヤ複数本を前記凹溝を含む略平面内で該平面視巴状となるように前記凹溝に巻き取り収納及び送出され、前記凹溝に巻き取られるワイヤの巻き取り厚さの増減によって該ワイヤが巻き取られる部分が凹溝の内外方向に移動することによる該ワイヤの水平方向の移動を検知して回転ドラムを停止させるための検知部を設けて成ることを特徴とする照明用昇降装置。
【請求項２】
検知部として、照明器具が下限位置に下降した時のワイヤの位置を検知する下限検知部を設けて成ることを特徴とする請求項１に記載の照明用昇降装置。
【請求項３】
検知部として、照明器具が上限位置に上昇した時のワイヤの位置を検知する上限検知部を設けて成ることを特徴とする請求項１又は２記載の照明用昇降装置。
【発明の詳細な説明】
【技術分野】
【０００１】
本発明は、天井に取り付けられる照明用昇降装置に関するものである。
【背景技術】
【０００２】
従来より、天井から吊り下げられる照明器具を昇降させる照明用昇降装置が用いられている（例えば特許文献１参照）。この照明用昇降装置は、天井に取り付けられる昇降装置本体と、この昇降装置本体に回転自在に支持される回転ドラムと、この回転ドラムを回転駆動させるための駆動モーターと、前記回転ドラムの外周部に巻回されるワイヤと、このワイヤの一端部に照明器具が取り付けられる。そして、前記回転ドラムの回転により前記ワイヤを前記回転ドラムに巻取り／送出することにより昇降自在とするものである。
【０００３】
このような従来の照明用昇降装置においては、照明器具に一端が取り付けられる複数本のワイヤを回転ドラムに巻取り／送出するのであるが、回転ドラムには、外周部に各ワイヤ用の凹溝を別々に設け、前記各凹溝に各ワイヤをそれぞれ巻取るようにしてある。すなわち、回転ドラムの回転軸方向に各ワイヤを巻取る凹溝を並設し、各ワイヤは回転ドラムの回転軸方向のずれた位置に並設された凹溝にそれぞれ巻取られるものである。
【０００４】
このような照明用昇降装置には、昇降する照明器具の上下のリミットスイッチが設けられる。リミットスイッチとしては、凹溝に巻き取られるワイヤの巻き取り厚さの増減によって、このワイヤが巻き取られる部分が凹溝の内外方向（水平方向）に移動するが、このワイヤの水平方向の移動を検知する検知部を設けて構成し、検知部による上限又は下限の検知により回転ドラムを停止させるようにすると、照明器具の上下位置を直接検知せずに済むものである。
【０００５】
ところで、照明用昇降装置には上述したように回転ドラムの回転軸方向に各ワイヤを巻取る凹溝をワイヤの本数分並設し、各ワイヤはそれぞれの凹溝に巻き取られるため、回転ドラムが一回転すると、各凹溝のワイヤの巻き取り厚さはワイヤ一本分（即ちワイヤの直径分）増加する。上記のような検知部を設ける場合、回転ドラムの一回転当たりのワイヤーの水平方向の移動量が大きい程、検知部による検知精度が向上するため、回転ドラムの一回転当たりのワイヤの凹溝への巻き取り厚さが大きい程好ましいものである。
【特許文献１】特開平７−２８８０２６号公報
【発明の開示】
【発明が解決しようとする課題】
【０００６】
本発明は上記の点に鑑みてなされたものであり、その目的とするところは、回転ドラムが回転する際に回転ドラムに巻き取られるワイヤの水平方向の移動量を大きくして、該ワイヤの移動を検知する検知部の検知精度を向上させることができる照明用昇降装置を提供することを目的とする。
【課題を解決するための手段】
【０００７】
上記課題を解決するために請求項１に係る発明にあっては、昇降装置本体１と、前記昇降装置本体１に回転自在にかつ水平方向に支持される回転ドラム２と、前記回転ドラム２を回転駆動させるための駆動モーター５と、前記回転ドラム２の外周部に巻回されるワイヤ６と、前記ワイヤ６の一端部に照明器具８が取り付けられ、前記照明器具８は、前記回転ドラム２の回転により前記ワイヤ６を前記回転ドラム２に巻取られ又は前記回転ドラム２より送出されることにより自在に昇降される照明用昇降装置であって、前記ワイヤ６は複数本であり、前記回転ドラム２の外周部には回転面と平行かつ全周にわたる一条の凹溝２０が設けられ、前記ワイヤ６複数本を前記凹溝２０を含む水平な略平面内で該平面視巴状となるように前記凹溝２０に巻き取り収納され、前記凹溝２０に巻き取られるワイヤ６の巻き取り厚さｔの増減によって該ワイヤ６が巻き取られる部分が凹溝２０の内外方向に移動することによる該ワイヤ６の水平方向の移動を検知して回転ドラム２を停止させるための検知部９を設けて成ることを特徴とするものである。
【０００８】
このような構成とすることで、回転ドラム２に形成した一条の凹溝２０に複数本のワイヤ６が巴状に巻き取られるため、回転ドラム２が一回転した際の凹溝２０へのワイヤ６の巻き取り厚さｔの増加は、ワイヤ６の径の複数本分となり、回転ドラム２の一回転当たりのワイヤー６の水平方向の移動量が複数本分と大きくなって、検知部による検知精度が向上する。
【０００９】
また、請求項２に係る発明にあっては、請求項１に係る発明において、検知部９として、照明器具８が下限位置に下降した時のワイヤ６の位置を検知する下限検知部９ａを設けて成ることを特徴とするものである。
【００１０】
このような構成とすることで、回転ドラム２の回転によるワイヤ６の移動により、照明器具８の下限位置が検知できる。
【００１１】
また、請求項３に係る発明にあっては、請求項１又は請求項２に係る発明において、検知部９として、照明器具８が上限位置に上昇した時のワイヤ６の位置を検知する上限検知部９ｂを設けて成ることを特徴とするものである。
【００１２】
このような構成とすることで、回転ドラム２の回転によるワイヤ６の移動により、照明器具８の上限位置が検知できる。
【発明の効果】
【００１３】
本発明にあっては、回転ドラムに形成した一条の凹溝に複数本のワイヤが巴状に巻き取られるようにし、回転ドラムの回転によりワイヤが巻き取られる部分が凹溝の内外方向（水平方向）に移動する際のワイヤの水平方向の移動を検知する検知部を設けたことで、照明器具の上下位置を直接検知せずワイヤの位置により照明器具の上下位置を検知できるものにあって、回転ドラムが一回転した際の凹溝へのワイヤの巻き取り厚さｔの増加が、ワイヤの径の複数本分となり、検知部による検知精度が向上する。
【発明を実施するための最良の形態】
【００１４】
以下、本発明を図１乃至図１０に示す実施形態に基いて説明する。図１及び図２は本発明を説明するための下面図及び要部側面図、図３は全体分解斜視図、図４は回転ドラムと駆動モーターと滑車の斜視図、図５及び図６は回転ドラムの斜視図及び側断面図、図７は駆動モーターと回転ドラムの噛み合いの斜視図、図８は主にボールベアリングの説明の側断面図、図９は回転ドラムにワイヤを巻き掛けた状態におけるワイヤ押え部を除いた部分の下面図、図１０は照明器具を吊り下げた状態の斜視図である。
【００１５】
照明用昇降装置は、昇降装置本体１の外殻をなす本体ケーシング１０と、本体ケーシング１０内に回転自在に支持される回転ドラム２と、この回転ドラム２を回転駆動させるための駆動モーター５と、前記回転ドラム２の外周部に巻回されるワイヤ６と、で主体が構成される。
【００１６】
本体ケーシング１０は天井に取り付けられるもので、上ケース１０ａと下ケース１０ｂとで構成される。
上ケース１０ａは、略円筒状の側壁部１１と、この側壁部１１の上端開口に設けられる天板部１２と、天板部１２の中央部に設けられる回転ドラム収容部１４とで構成される。天板部１２には、中央部に略円形状の開口１３が形成してあり、この開口１３の内縁から下方に略円筒状の収容部側壁１４ａが連設されると共に、収容部側壁１４ａの下端に収容部底壁１４ｂが設けられて上方に開口する回転ドラム収容部１４が形成される。
【００１７】
この天板部１２には、その下面に駆動モーター５や、後述するがワイヤ６が巻回される滑車７等の機器が取り付けられる。回転ドラム収容部１４は、上記のように上方に開口する略有底円筒状をしたもので、その内部におよび該回転ドラム２を支持する支軸１６が収容される。
【００１８】
回転ドラム２は、二つの部材、すなわちドラム本体３と、ドラム本体３に取り付けられるワイヤ押え部４とで構成される略円筒状をしたもので、外周部には、回転面と平行かつ全周にわたって、ワイヤ６が巻き取り収納される一条の凹溝２０が形成される。本実施形態では、回転ドラム２はその回転軸が垂直（鉛直）となり凹溝２０を含む略平面が水平方向となるように配置される。ドラム本体３は、略円筒状をした本体胴部３１と、本体胴部３１の下端に設けられる本体底部３２とで構成される樹脂製で、本体底部３２には中央部に略円形状をした開口３２ａが形成してある。本体胴部３１は、上記回転ドラム収容部１４に収容されるもので、収容部側壁１４ａの内径より小径に形成してあり、上端部の外周に歯車部３１ａが形成してあり、駆動モーター５の出力軸５０の歯車部５１と噛み合うようになっている。駆動モーター５は、回転ドラム収容部１４の側方に隣接するように上記天板の下面に取り付けられ、回転ドラム収容部１４の駆動モーター５に隣接する部分には開口（図示せず）が形成され、この開口を介して駆動モーター５の出力軸５０の歯車部５１と本体胴部３１の歯車部３１ａとが噛み合っている。
【００１９】
本体底部３２の下面には、凹溝２０の底部を形成するための平面視略円形状をした凸段部３３を下方に突設している。本実施形態では、凸段部３３は周方向に三等分割されており、隣接する凸段部３３間には隙間Ｓが形成されてこの部分にワイヤ６の端部が固定されるもので、後で説明する。本体底部３２の下面の形状は、平面視において、本体胴部３１と重なる円形状をしているが、前記凸段部３３の外径は、本体底部３２の下面及び本体胴部３１の径よりも小径でその内側に位置しており、凸段部３３の外周側面３３ａが凹溝２０の底面となる。そして、この凸段部３３の下面にワイヤ押え部４が取り付けられる。ワイヤ押え部４は、平面視環状をした板状の金属製で、平面視における形状は上記ドラム本体３の本体底部３２と略同じに形成してある。このワイヤ押え部４を平面視において前記本体底部３２と重なるように本体底部３２の下面に突設した凸段部３３に取り付けると、ワイヤ押え部４の上面は、ドラム本体３の本体底部３２の下面と距離をあけて配置されることとなり、ワイヤ６が巻き取り収納される凹溝２０となる。凹溝２０の幅は、ワイヤ６の径と略同じか若干ワイヤ６の径より長くするもので、例えばワイヤ６の径φ１．０５ｍｍに対して凹溝２０の幅は１．２ｍｍ程とする。また本実施形態では、凹溝２０の幅すなわち、ワイヤ押え部４の上面とドラム本体３の本体底部３２との距離が調節可能となっている。ワイヤ押え部４をドラム本体３の本体底部３２に取り付けるにあたっては、本実施形態では周方向の９箇所においてワイヤ押え部４に固定用のねじ孔４２を穿設すると共に、本体底部３２の前記ねじ孔４２に対応する部分に貫通孔３６を穿設し、本体底部３２の上面側から調整ねじ４３を前記貫通孔３６に挿通して前記ねじ孔４２に螺合させることで行なうが、この調整ねじ４３を回転させると、調整ねじ４３は本体底部３２に対して空回りして相対位置は変わらず、ワイヤ押え部４との螺合位置が変わってワイヤ押え部４と本体底部３２との距離が変わり、凹溝２０の幅が変わることとなる。また、調整ねじ４３にはワイヤ押え部４と本体底部３２との間にスプリング４４が圧縮して被嵌してある。
【００２０】
回転ドラム２の底部には、該回転ドラム２が載置される回転ドラム収容部１４の収容部底壁１４ｂと接触する部分に、ボールベアリング３５が設けてある。これは、回転ドラム２のドラム本体３の本体底部３２の下面の周方向の６箇所に筒状をしたボール収容部３５ａを形成し、この内部にボール３５ｂを収容するもので、ボール収容部３５ａの内部の内径をボール３５ｂの径よりも大径にし且つボール収容部３５ａの下端開口の内径をボール３５ｂの径よりも小径にしてある。ボール収容部３５ａ内の上部にはボール３５ｂが上方に移動するのを規制する押え部が設けてあり、ボール収容部３５ａ内に収容されたボール３５ｂはボール収容部３５ａの下端開口から下方に凸状に露出して回転自在となる。また、ドラム本体３の下面に取り付けられるワイヤ押え部４には、前記ボール収容部３５ａに対応する部分に挿通穴４１が形成してあり、この挿通穴４１を介して筒状をしたボール収容部３５ａは下方に突出する。これにより、回転ドラム２の最下端に回転自在なボール３５ｂが位置することとなる。
【００２１】
また回転ドラム２は、支軸１６に被嵌された状態で回転する。支軸１６は、回転ドラム２のドラム本体３の本体胴部３１内に嵌入される略円筒状をした筒状胴部１６ａを有し、この筒状胴部１６ａにより回転ドラム２の回転軸がずれないようにガイドされるもので、この支軸１６は筒状胴部１６ａの上端から略水平方向外側に連設されるフランジ１６ｂを上ケース１０ａに固定することで取り付けてある。
【００２２】
回転ドラム２に巻き取り収納されるワイヤ６は、一端部が回転ドラム２に固定されると共に他端部が照明器具８に固定されるのであるが（図１０参照）、本発明ではワイヤ６は複数本であり、これらの複数本のワイヤ６が上記一条の凹溝２０内に巻き取り収納される。図１０中の８１は電源コードを示し、８２は照明器具８に収納されたコードリールを示す。本実施形態ではワイヤ６は三本であり、各ワイヤ６は凹溝２０の底部に等間隔（本実施形態では１２０°間隔）で固定される。すなわち、上述したように周方向に三等分割された凸段部３３間の隙間Ｓから凸段部３３の内側に挿入したところで本体底部３２又はワイヤ押え部４に固定される。
【００２３】
ここで、ワイヤ６は、回転ドラム２を回転させた際、各ワイヤ６は回転ドラム２の外周略接線方向、（詳しくは、回転ドラム２の凹溝２０に巻き取り収納されている最外側のワイヤ６の接線方向）に張られた状態で巻き取り／送出されるが、同一の凹溝２０に複数のワイヤ６を巻き取り／送出するため、これらのワイヤ６は図９に示すように平面視において巴状に巻き取り／送出される。回転ドラム２から導出されるワイヤ６は、上述した滑車７にて張られる方向が変わって下方へと伸びる。なお、ワイヤ６が回転ドラム２の凹溝２０の最外側のワイヤ６の外側に巻かれる部分と、該ワイヤ６が巻かれる滑車７と、を結ぶ直線上に位置する収容部側壁１４ａには、ワイヤ挿通穴１５が形成してあり、ワイヤ６と収容部側壁１４ａとの干渉が回避される。これにより、ワイヤ６によって照明器具８が吊り下げられ、回転ドラム２の回転（正転及び逆転）によってワイヤ６の巻き取り及び送出が行われ、照明器具８の昇降が行われる。
【００２４】
上述したように、複数本のワイヤ６で照明器具８を吊り下げるものにおいて、回転ドラム２の一条の凹溝２０内に複数本のワイヤ６を全て巻き取り収納するようにしたことで、回転ドラム２に形成する凹溝２０が一条で済んで、回転ドラム２に形成する凹溝２０の幅が短くて済み、回転ドラム２の回転軸方向の長さを短縮できて、照明用昇降装置の小型化、省スペース化が図られる。
【００２５】
そして、本発明では、凹溝２０に巻き取られるワイヤ６の巻き取り厚さｔの増減によって、このワイヤ６が巻き取られる部分が凹溝２０の内外方向に移動することによる該ワイヤ６の水平方向の移動を検知する検知部９を設けてある。以下、図１及び図２に基づいて説明する。
【００２６】
検知部９は、リミットスイッチで主体が構成されるもので、本実施形態では、照明器具８が下限位置に下降した時のワイヤ６の位置を検知するリミットスイッチである下限検知部９ａと、照明器具８が上限位置に上昇した時のワイヤ６の位置を検知するリミットスイッチである上限検知部９ｂの二つが設けてある。これらの検知部９（９ａ、９ｂ）は、上ケース１０ａに設けられたアングル等の設置部材９０に固定されている。検知部９には、検知するレバー９２が設けてあり、このレバー９２を押圧することで検知がなされる。このレバー９２は、ワイヤ６の移動により押圧されるのであるが、本実施形態ではワイヤ６が直接当接して押圧するのではなく、揺動部材９１を介して行われる。揺動部材９１は棒状をしており、上端部９１ａが上ケース１０ａの天板部１２に枢支されると共に、下端部に環状の押圧部９１ｂ（本実施形態ではコイル状の押圧部）が形成され、この押圧部９１ｂにワイヤ６が挿通されており、ワイヤ６の移動により押圧部９１ｂが上端部９１ａを中心に揺動し、押圧部９１ｂが上記レバー９２を押圧して検知がなされる。
【００２７】
図１（ａ）及び図２（ａ）に、照明器具８が下限位置にあり、ワイヤ６が殆ど回転ドラム２に巻き取られていない状態を示し、図１（ｂ）及び図２（ｂ）に、照明器具８が上限位置にあり、ワイヤ６が厚みｔと厚く回転ドラム２に巻き取られている状態を示す。この上限位置、下限位置に照明器具８が位置する状態において、ワイヤ６の移動により揺動部材９１の押圧部９１ｂがそれぞれ上限検知部９１ｂ、下限検知部９１ａを押圧して、上限、下限が検知されている。
【００２８】
この検知部９により検知すると、制御部（図示せず）にて回転ドラム２を駆動する駆動する駆動モーター５による回転が停止し、それ以上の回転は受け付けられない。逆方向の回転は受け付けられる。
【００２９】
この時、図１（ａ）に示すように、回転ドラム２のドラム本体３が回転すると、ワイヤ６の水平方向の移動量θ（図中では滑車７からの伸びるワイヤ６の角度θで示す）が変わるが、複数のワイヤ６を巴状に一条の凹溝２０に巻き取り／送出するようにしたことで、回転ドラム２が一回転した際の凹溝２０へのワイヤ６の巻き取り厚さｔの増加は、ワイヤ６の径の複数本分となり、回転ドラム２の一回転当たりのワイヤー６の水平方向の移動量が複数本分と大きくなって、検知部による検知精度が向上する。
【図面の簡単な説明】
【００３０】
【図１】本発明を説明するため回転ドラムのドラム本体以下の部分を便宜上除いた下面図で、（ａ）はワイヤの巻き取り厚みがほぼ無い状態の下面図であり、（ｂ）はワイヤの巻き取り厚みが大きい状態の下面図である。
【図２】（ａ）（ｂ）はそれぞれ図１の（ａ）（ｂ）の要部側面図である。
【図３】同上の実施形態の下方より見た全体分解斜視図である。
【図４】同上の回転ドラムと駆動モーターと滑車の下方より見た斜視図である。
【図５】同上において回転ドラム（ドラム本体及びワイヤ押え部）にワイヤを取り付けた状態の下方より見たドラム本体とワイヤ押え部の分解斜視図である。
【図６】同上における回転ドラムの側断面図である。
【図７】同上においてドラム本体の歯車部と駆動モーターの歯車部の噛み合い状態の上方より見た斜視図である。
【図８】同上におけるドラム本体に支軸を取り付けた状態の側断面図である。
【図９】同上の回転ドラムにワイヤを巻き掛けた状態におけるワイヤ押え部を除いた部分の下面図である。
【図１０】本発明の照明用昇降装置により照明器具を吊り下げた状態の斜視図である。
【符号の説明】
【００３１】
１    昇降装置本体
１０  本体ケーシング
１４  回転ドラム収容部
２    回転ドラム
２０  凹溝
３    ドラム本体
３１ａ  歯車部
３２  本体底部
３３  凸段部
３３ａ  外周側面
３５  ボールベアリング
４    ワイヤ押え部
５    駆動モーター
５１  歯車部
６    ワイヤ
７    滑車
８    照明器具
９    検知部
【図１】
2008091153.tif 000003
【図２】
2008091153.tif 000004
【図３】
2008091153.tif 000005
【図４】
2008091153.tif 000006
【図５】
2008091153.tif 000007
【図６】
2008091153.tif 000008
【図７】
2008091153.tif 000009
【図８】
2008091153.tif 000010
【図９】
2008091153.tif 000011
【図１０】
2008091153.tif 000012